【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】  映像音響コンテンツ（以下単にコンテンツと称する）に対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記コンテンツおよび前記インデックス情報を蓄積する蓄積手段とを有することを特徴とする映像音響コンテンツの編集装置。
【請求項２】  前記インデックス付与手段は、ビデオセグメンテーション情報とオーディオセグメンテーション情報の継続時間長を用いて統合を図り、インデックスを付与することを特徴とする請求項１記載の映像音響コンテンツの編集装置。
【請求項３】 前記インデックス付与手段は、前記ビデオセグメンテーション情報のカット位置における音響的分類が無音部の時は、無音部の終端位置を統合したインデックスとして出力することを特徴とする請求項２記載の映像音響コンテンツの編集装置。
【請求項４】 前記インデックス付与手段は、前記ビデオセグメンテーション情報のカット位置における音響的分類が無音部以外の時は、無音部以外の開始位置もしくは終端位置を統合したインデックスとして出力することを特徴とする請求項２記載の映像音響コンテンツの編集装置。
【請求項５】  映像音響コンテンツに対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記映像カット位置と前記音響クラスタリング位置と時間情報を同時に関連付けて表示する表示手段と、前記コンテンツおよび前記インデックス情報を蓄積する蓄積手段とを有することを特徴とする映像音響コンテンツの編集装置。
【請求項６】  映像音響コンテンツに対して、音響情報を用いて区間ごとの音響的分類を決定し、時間とともにオーディオセグメンテーション情報を出力するオーディオセグメンテーション手段と、その情報にインデックスを付与するインデックス付与手段と、前記コンテンツやインデックス情報を蓄積する蓄積手段とを有する事を特徴とする映像音響コンテンツの編集装置。
【請求項７】  映像音響コンテンツを受信する手段と、受信したコンテンツに対して、映像情報を用いて映像カット位置を検出するビデオセグメンテーション手段と、音響情報を用いて区間ごとの音響的分類を決定し、時間とともにオーディオセグメンテーション情報を出力するオーディオセグメンテーション手段と、それぞれの情報を統合してインデックスを付与するインデックス付与手段と、前記コンテンツと前記インデックス情報を蓄積する蓄積手段とを有することを特徴とする映像音響コンテンツの編集装置。
【請求項８】  映像音響コンテンツに対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記映像音響コンテンツと前記インデックス情報を送信しかつ利用者からの要求を受信する送受信手段と、前記インデックス情報と前記映像音響コンテンツを受信しかつ要求情報を送信する送受信手段と、受信した情報を蓄積する蓄積手段と、前記インデックスの情報にしたがって編集、検索、選択視聴する編集手段とを有することを特徴とする映像音響コンテンツの編集装置。
【請求項９】  映像音響コンテンツに対して、映像情報を用いて映像カット位置を検出し、ビデオセグメンテーション情報を出力するビデオセグメンテーションステップと、音響情報を用いて区間ごとの音響的分類を決定し、時間とともにオーディオセグメンテーション情報を出力するオーディオセグメンテーションステップと、前記ビデオセグメンテーション情報および前記オーディオセグメンテーション情報を統合してインデックスを付与するステップを有することを特徴とする映像音響コンテンツのインデックス付与方法。
【請求項１０】  前記インデックス付与ステップは、ビデオセグメンテーション情報とオーディオセグメンテーション情報の継続時間長を用いて統合を図ることを特徴とする請求項９記載の映像音響コンテンツのインデックス付与方法。
【請求項１１】  映像音響コンテンツに対して、映像情報を用いて映像カット位置を検出し、ビデオセグメンテーション情報を出力するビデオセグメンテーションステップと、音響情報を用いて区間ごとの音響的分類を決定し、時間とともにオーディオセグメンテーション情報を出力するオーディオセグメンテーションステップと、前記ビデオセグメンテーション情報および前記オーディオセグメンテーション情報を統合してインデックスを付与するインデックス付与ステップと、映像カット位置と音響クラスタリング位置と時間情報を同時に関連付けて表示する表示ステップとを有することを特徴とする映像音響コンテンツのインデックス付与方法。
【請求項１２】  コンピュータで、映像音響コンテンツ（以下単にコンテンツと称する）に対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段として機能させるための映像音響コンテンツの編集プログラム。
【手続補正２】
【補正対象書類名】明細書
【補正対象項目名】００１０
【補正方法】変更
【補正の内容】
【００１０】
【課題を解決するための手段】
上記の課題を解決するために本発明は、映像音響コンテンツ（以下単にコンテンツと称する）に対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記コンテンツおよび前記インデックス情報を蓄積する蓄積手段と設けたものである。
【手続補正３】
【補正対象書類名】明細書
【補正対象項目名】００１２
【補正方法】変更
【補正の内容】
【００１２】
【発明の実施の形態】
本発明の請求項１に記載の発明は、映像音響コンテンツ（以下単にコンテンツと称する）に対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記コンテンツおよび前記インデックス情報を蓄積する蓄積手段とを具備するもので、効率的なコンテンツ編集、検索、選択試聴を可能とするという作用を有する。
【手続補正４】
【補正対象書類名】明細書
【補正対象項目名】００１３
【補正方法】変更
【補正の内容】
【００１３】
請求項２に記載の発明は、請求項１記載の映像音響コンテンツの編集装置において、前記インデックス付与手段は、ビデオセグメンテーション情報とオーディオセグメンテーション情報の継続時間長を用いて統合を図り、インデックスを付与することを特徴とするもので、効率的なコンテンツ編集、検索および選択視聴を可能とするという作用を有するものである。
請求項３に記載の発明は、請求項１記載の映像音響コンテンツの編集装置において、前記インデックス付与手段は、前記ビデオセグメンテーション情報のカット位置における音響的分類が無音部の時は、無音部の終端位置を統合したインデックスとして出力することを特徴とするもので、音声区間の最初から再生することが可能となるという作用を有する。
請求項４に記載の発明は、請求項１記載の映像音響コンテンツの編集装置において、前記インデックス付与手段は、前記ビデオセグメンテーション情報のカット位置における音響的分類が無音部以外の時は、無音部以外の開始位置もしくは終端位置を統合したインデックスとして出力することを特徴とするもので、効率的なコンテンツ編集、検索および選択視聴を可能とするという作用を有するものである。
【手続補正５】
【補正対象書類名】明細書
【補正対象項目名】００１４
【補正方法】変更
【補正の内容】
【００１４】
請求項５に記載の発明は、映像音響コンテンツに対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記映像カット位置と前記音響クラスタリング位置と時間情報を同時に関連付けて表示する表示手段と、前記コンテンツおよび前記インデックス情報を蓄積する蓄積手段とを有するもので、効率的なコンテンツ編集、検索、選択視聴を可能とするという作用を有するものである。
【手続補正６】
【補正対象書類名】明細書
【補正対象項目名】００１５
【補正方法】変更
【補正の内容】
【００１５】
請求項６に記載の発明は、映像音響コンテンツに対して、音響情報を用いて区間ごとの音響的分類を決定し、時間とともにオーディオセグメンテーション情報を出力するオーディオセグメンテーション手段と、その情報にインデックスを付与するインデックス付与手段と、前記コンテンツやインデックス情報を蓄積する蓄積手段とを有することにより、効果的なコンテンツの編集、検索、および選択視聴を可能とするという作用を有するものである、
請求項７に記載の発明は、映像音響コンテンツを受信する手段と、受信したコンテンツに対して、映像情報を用いて映像カット位置を検出するビデオセグメンテーション手段と、音響情報を用いて区間ごとの音響的分類を決定し、時間とともにオーディオセグメンテーション情報を出力するオーディオセグメンテーション手段と、それぞれの情報を統合してインデックスを付与するインデックス付与手段と、前記コンテンツと前記インデックス情報を蓄積する蓄積手段とを有するもので、配信されるコンテンツの効果的な編集、検索、選択視聴を可能とするという作用を有するものである。
【手続補正７】
【補正対象書類名】明細書
【補正対象項目名】００１６
【補正方法】変更
【補正の内容】
【００１６】
請求項８に記載の発明は、映像音響コンテンツに対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段と、前記映像音響コンテンツと前記インデックス情報を送信しかつ利用者からの要求を受信する送受信手段と、前記インデックス情報と前記映像音響コンテンツを受信しかつ要求情報を送信する送受信手段と、受信した情報を蓄積する蓄積手段と、前記インデックスの情報にしたがって編集、検索、選択視聴する編集手段とを有するもので、効果的なコンテンツの編集、検索、選択視聴を可能とするという作用を有するものである。
【手続補正８】
【補正対象書類名】明細書
【補正対象項目名】００１７
【補正方法】変更
【補正の内容】
【００１７】
請求項９に記載の発明は、映像音響コンテンツに対して、映像情報を用いて映像カット位置を検出し、ビデオセグメンテーション情報を出力するビデオセグメンテーションステップと、音響情報を用いて区間ごとの音響的分類を決定し、時間とともにオーディオセグメンテーション情報を出力するオーディオセグメンテーションステップと、前記ビデオセグメンテーション情報および前記オーディオセグメンテーション情報を統合してインデックスを付与するステップを有することにより、効率的な検索・視聴ができるインデックス付与を可能とするという作用を有するものである。
【手続補正９】
【補正対象書類名】明細書
【補正対象項目名】００１８
【補正方法】変更
【補正の内容】
【００１８】
請求項１０に記載の発明は、請求項９記載の映像音響コンテンツのインデックス付与方法において、前記インデックス付与ステップは、ビデオセグメンテーション情報とオーディオセグメンテーション情報の継続時間長を用いて統合を図ることにより、効率的な検索・視聴ができるインデックス付与を行うという作用を有するものである。
【手続補正１０】
【補正対象書類名】明細書
【補正対象項目名】００１９
【補正方法】変更
【補正の内容】
【００１９】
請求項１１に記載の発明は、映像音響コンテンツに対して、映像情報を用いて映像カット位置を検出し、ビデオセグメンテーション情報を出力するビデオセグメンテーションステップと、音響情報を用いて区間ごとの音響的分類を決定し、時間とともにオーディオセグメンテーション情報を出力するオーディオセグメンテーションステップと、前記ビデオセグメンテーション情報および前記オーディオセグメンテーション情報を統合してインデックスを付与するインデックス付与ステップと、映像カット位置と音響クラスタリング位置と時間情報を同時に関連付けて表示する表示ステップとを有するもので、効率的な検索・視聴ができるインデックス付与を行うという作用を有するものである。
【手続補正１１】
【補正対象書類名】明細書
【補正対象項目名】００２０
【補正方法】変更
【補正の内容】
【００２０】
請求項１２に記載の発明は、コンピュータで、映像音響コンテンツ（以下単にコンテンツと称する）に対して、映像情報を用いて映像カット位置を検出し、ビデオセグメンテーション情報を出力するビデオセグメンテーション手段と、音響情報を用いて区間ごとの音響的分類を決定し、時間とともにオーディオセグメンテーション情報を出力するオーディオセグメンテーション手段と、前記ビデオセグメンテーション情報および前記オーディオセグメンテーション情報を統合してインデックスを付与するインデックス付与手段として機能させるための映像音響コンテンツの編集プログラムであり、コンピュータにインストールして実行することにより、効率的な検索・視聴ができる映像音響コンテンツの編集を行うことができるという作用を有するものである。
【手続補正１２】
【補正対象書類名】明細書
【補正対象項目名】００２１
【補正方法】削除
【補正の内容】